(57)【要約】      （修正有）【課題】使用中及び環境的影響を受ける場合の分離に耐えうるクラウンのアセンブリを提供する。【解決手段】多部品クラウンの組み立て工程は、ダイヤル１３０内に少なくとも部分的に支持構造体１５０を配置することを含むことができる。支持構造体１５０は、支持歯１５４がダイヤル凹部１４０内に配置され、かつ、ダイヤル歯１３８が支持構造体凹部内に配置されるように、ダイヤル１３０内に配置する。【選択図】図７
2019049536.tif 000002
【特許請求の範囲】
【請求項１】
ウォッチ用クラウンであって、
ダイヤルと、
前記ダイヤル内に少なくとも部分的に配置され、かつ、前記ダイヤルにロックされたキャップと、
前記キャップ内に少なくとも部分的に配置されて前記キャップを前記ダイヤル内に軸方向に保持する支持構造体と、を備える、クラウン。
【請求項２】
前記ダイヤルは、半径方向内側に延在し、かつ、ダイヤル凹部によって分離されたダイヤル歯を含み、
前記キャップは、
前記ダイヤル歯とかみ合って、前記キャップを前記ダイヤルに対してロックする、キャップ凹部と、
係合溝と、を含み、
前記支持構造体は、
支持歯であって、半径方向外側に延在し、かつ、前記支持構造体が回転すると前記ダイヤル歯の隣接する対の間を移動するように構成されており、前記支持歯が前記ダイヤル歯に接触すると前記支持構造体の回転を制限するように構成された、支持歯と、
半径方向外側に延在し、かつ、前記キャップの前記係合溝内で前記支持構造体に対して前記キャップを軸方向に保持する係合歯と、を含む、請求項１に記載のクラウン。
【請求項３】
前記ウォッチは、ウォッチ本体と、前記ウォッチ本体をユーザに固定するように構成されたウォッチバンドとを含み、前記クラウンは前記ウォッチ本体の筐体を越えて突出し、かつ、前記クラウンは前記ウォッチ本体によって検出可能なユーザ入力を受け入れるように構成された、請求項１に記載のクラウン。
【請求項４】
前記ダイヤル及び前記キャップは、異なる材料である、請求項１に記載のクラウン。
【請求項５】
前記キャップの外面は、前記ダイヤルの外面と同一平面にある、請求項１に記載のクラウン。
【請求項６】
前記ダイヤル、前記キャップ、及び前記支持構造体のうちの少なくとも２つを接合する接着剤を更に備える、請求項１に記載のクラウン。
【請求項７】
前記支持構造体及び前記ダイヤルに溶接されたワッシャを、前記キャップに対向する、前記ダイヤルの側面上に、更に備える、請求項１に記載のクラウン。
【請求項８】
前記キャップは、前記ダイヤルに対して回転方向にロックされる、請求項１に記載のクラウン。
【請求項９】
ウォッチ用クラウンであって、
ダイヤルと、
前記ダイヤル内に少なくとも部分的に配置され、かつ、係合溝を含む、キャップと、
支持構造体であって、前記キャップの前記係合溝内に少なくとも部分的に配置されて、前記支持構造体に対して前記キャップを固定する係合歯を含む、支持構造体と、を備える、クラウン。
【請求項１０】
前記キャップは、キャップ凹部を含み、
前記ダイヤルは、前記キャップ凹部を実質的に埋めて前記ダイヤルに対して前記キャップをロックするダイヤル歯を含む、請求項９に記載のクラウン。
【請求項１１】
前記ダイヤルは、ダイヤル凹部によって分離されたダイヤル歯を含み、
前記支持構造体は、前記ダイヤル歯の隣接する対の間を移動することによって、前記ダイヤルに対する回転範囲を前記支持構造体に提供する支持歯を更に含む、請求項９に記載のクラウン。
【請求項１２】
前記支持構造体及び前記ダイヤルに溶接されたワッシャを、前記キャップに対向する、前記ダイヤルの側面上に、を更に備える、請求項９に記載のクラウン。
【請求項１３】
前記ダイヤル、前記キャップ、及び前記支持構造体のうちの少なくとも２つを接合する接着剤を更に備える、請求項９に記載のクラウン。
【請求項１４】
ウォッチであって、
ウォッチバンドと、
筐体と、
請求項９に記載の前記クラウンと、を含むウォッチ本体と、を備え、前記クラウンが前記筐体を越えて突出し、かつ、ユーザ入力を検出するように構成された、ウォッチ。
【請求項１５】
前記ウォッチ本体は、
前記筐体に対する前記クラウンの直線運動を検出するためのスイッチと、
前記筐体に対する前記クラウンの回転を検出するための光学式エンコーダと、を更に含む、請求項１４に記載のウォッチ。
【請求項１６】
クラウンを組み立てる方法であって、
ダイヤル内に少なくとも部分的に支持構造体を配置することと、
前記支持構造体の支持歯をキャップの係合溝内にあわせて、前記ダイヤル内に少なくとも部分的に前記キャップを配置することと、
前記支持歯が前記係合溝内を移動して前記キャップを軸方向に保持するように、前記キャップ及び前記ダイヤルに対して前記支持構造体を回転させることと、を含む、方法。
【請求項１７】
前記ダイヤル、前記キャップ、及び前記支持構造体のうちの少なくとも２つに接着剤を塗布すること更に含む、請求項１６に記載の方法。
【請求項１８】
前記ダイヤル内に少なくとも部分的に前記支持構造体を配置することは、前記支持構造体に前記ダイヤルに対する回転範囲を提供するために、前記ダイヤルの隣接する対のダイヤル歯の間に前記支持構造体の支持歯を整列させることを含む、請求項１６に記載の方法。
【請求項１９】
前記ダイヤル内に少なくとも部分的に前記キャップを配置することは、前記ダイヤルに前記キャップをロックするために、前記キャップのキャップ凹部に前記ダイヤルのダイヤル歯を整列させることを含む、請求項１６に記載の方法。
【請求項２０】
前記キャップ及び前記ダイヤルに対して前記支持構造体を回転している間に、前記キャップ及び前記ダイヤルが互いに対してロックされる、請求項１６に記載の方法。
【発明の詳細な説明】
【関連出願の相互参照】
【０００１】
本出願は、２０１７年９月１１日に出願された、「ＣＲＯＷＮ  ＡＳＳＥＭＢＬＹ  ＦＯＲ  ＷＡＴＣＨＥＳ」と題する米国特許仮出願第６２／５５７，００６号の利益を主張するものであり、同出願の全体が参照により本明細書に援用される。
【技術分野】
【０００２】
本明細書は、一般に、ユーザ入力構成要素用のアセンブリに関し、より具体的には、例えば、限定はされないが、ウォッチのクラウン用のアセンブリに関する。
【背景技術】
【０００３】
ウォッチなどのポータブル電子デバイスはますます普及しており、ポータブル電子デバイスによって提供される特徴及び機能性は、多くの消費者のニーズ及び期待に応えるように拡大し続けている。ユーザインタフェース機能がたびたび電子デバイス上に提供されて、デバイスが実行するためのコマンドをユーザが提供することを可能にする。多くのデバイスは、操作中にユーザからの触知入力を受信及び検出する、クラウンなどの入力構成要素を含む。このような入力構成要素は、ユーザがいつでもアクセスできるように、デバイス上で顕著に特徴付けられてもよい。
【０００４】
しかしながら、ウォッチ全体だけでなく、ウォッチのクラウンも、クラウンを弱め得る応力及び環境的影響にさらされる可能性がある。水泳、入浴、発汗などのユーザの活動は、クラウンの物理的及び化学的組成を脅かす可能性がある。
【図面の簡単な説明】
【０００５】
主題技術の一定の特徴を、添付の特許請求の範囲に示す。しかしながら、説明の目的のため、主題技術のいくつかの実施形態を以下の図に示す。
【図１】例示的なウォッチの斜視図を示す。
【図２】図１のウォッチの一部の断面図を示す。
【図３】例示的なクラウンアセンブリの断面図を示す。
【図４】例示的なクラウンアセンブリの断面図を示す。
【図５】図４のクラウンアセンブリの一部の分解斜視図を示す。
【図６】図４のクラウンアセンブリの例示的なキャップの斜視図を示す。
【図７】例示的なクラウンアセンブリのリング及び支持構造体の斜視断面図を示す。
【図８】図７のリング及び支持構造体の正面図を示す。
【図９】例示的なクラウンアセンブリのリング及び支持構造体の斜視断面図を示す。
【図１０】図９のリング及び支持構造体の正面図を示す。
【図１１】組み立て段階における、例示的なクラウンアセンブリの斜視断面図を示す。
【図１２】図１１のクラウンアセンブリの断面図を示す。
【図１３】別の組み立て段階における、例示的なクラウンアセンブリの斜視断面図を示す。
【図１４】図１３のクラウンアセンブリの断面図を示す。
【図１５】別の組み立て段階における、例示的なクラウンアセンブリの斜視断面図を示す。
【発明を実施するための形態】
【０００６】
以下に述べる詳細な説明は、様々な実装形態の説明として意図されており、主題技術を実行できる唯一の実装を表すことを意図するものではない。当業者には理解され得るように、説明された実施形態は、本開示の範囲から逸脱することなく、様々な異なる方法で修正されてもよい。したがって、図面及び説明は、本質的に例示と見なされるべきであり、限定と見なされるべきではない。
【０００７】
本明細書は、一般に、ユーザ入力構成要素用のアセンブリに関し、より具体的には、例えば、限定はされないが、電子デバイスのクラウン用アセンブリに関する。電子デバイスは、ユーザからの触知入力を受け入れるため、クラウン、ダイヤル、及び／又はボタンなどの１つ以上の入力構成要素をその外面に含むことができる。かかる入力構成要素は、電子デバイスと相互作用し、電子デバイスに命令を与える能力をユーザに提供することができる。一部の例では、複数部品のクラウンを設けて、例えば、審美的、構造的、及び／又は機能的属性を提供することが望ましい場合がある。例えば、クラウンに、異なる材料、色、及び／又は表面特徴のダイヤル並びにキャップを設けることが望ましい場合がある。
【０００８】
クラウンの部品は、使用中及び環境的影響を受ける場合の分離に耐えるように組み立てることができる。例えば、クラウンの組み立てられた部品は、電子デバイスを着用しているユーザが水泳、入浴、又は発汗している間の分離に耐えることができる。このアセンブリは、機械的機構（例えば、インターロック部）及び化学的機構（例えば、接着剤）の両方によって固定することができる。
【０００９】
複数の部品が存在するため、組み立て工程は各部品に敏感になり得る。例えば、部品の組み立て工程では、十分に低い温度を伴って、複数の部品のうちの最も熱に敏感な部品を含む、部品の損傷を回避することができる。したがって、本明細書に記載された組み立て工程及び組み立てられたクラウンは、部品のいずれをも損傷することなしに、複数の部品を耐久的に組み立てる必要性に対処する。
【００１０】
本明細書に開示された実施形態によれば、電子デバイス用のクラウンは、ダイヤル、ダイヤル内に少なくとも部分的に配置されかつダイヤルにロックされたキャップ、及び、キャップ内に少なくとも部分的に配置されてキャップをダイヤル内に軸方向に保持する支持構造体、を含むことができる。キャップは係合溝を含み、支持構造体は、係合溝内に少なくとも部分的に配置されて支持構造体に対してキャップを固定する、係合歯を含むことができる。
【００１１】
本明細書に開示された実施形態によれば、クラウンを組み立てる方法は、ダイヤル内に少なくとも部分的に支持構造体を配置すること、支持構造体の支持歯をキャップの係合溝内にあわせて、ダイヤル内に少なくとも部分的にキャップを配置すること、及び支持歯が係合溝内を移動してキャップを軸方向に保持するように、キャップ及びダイヤルに対して支持構造体を回転させること、を含むことができる。
【００１２】
これら及び他の実施形態について、図１〜１５を参照して以下説明する。しかしながら、当業者であれば、これらの図に関して本明細書に記載された詳細な説明は説明のみを目的とするものであり、限定するものとして解釈されるべきではないことを容易に理解するであろう。
【００１３】
図１を参照して、ウォッチ１０などの例示的なウェアラブル電子デバイスを示す。図１では、ウォッチ１０としてデバイスを示しているが、ウォッチ１０に関して本明細書に記載された特徴は、他のウェアラブルデバイス、他の電子デバイス、ポータブルコンピューティングデバイス、携帯電話、スマートフォン、タブレットコンピュータ、ラップトップコンピュータ、カメラ、時間管理デバイス、コンピュータ眼鏡、及び他のウェアラブルデバイスナビゲーションデバイス 、ディスプレイ、スポーツデバイス、アクセサリーデバイス、健康監視デバイス、医療デバイス、リストバンド、ブレスレット、宝飾品、及び／又は同種類のもの、などの、様々な他のデバイスに適用することができる。
【００１４】
図１に示すように、ウォッチ１０は、ウォッチバンド１６を使用してユーザ（例えば、ユーザの手首）に装着できるウォッチ本体１２を含む。ウォッチバンド１６は、第１のバンドストラップ２１及び第２のバンドストラップ２３を含む。第１のバンドストラップ２１及び第２のバンドストラップ２３の自由端は、留め金２５で結合されている。
【００１５】
ウォッチ本体１２に含まれる構成要素の１つは、１つ以上のＩ／Ｏシステムとすることができる。例えば、ディスプレイ１９は、ウォッチ本体１２についての情報を出力するように構成することができる。ディスプレイ１９は、入力を受け入れるよう構成することもできる。ディスプレイ１９は、ウォッチ１０に対する画像又はビデオ出力を提供することができる。ディスプレイ１９はまた、タッチ感知デバイス、力感知デバイス、温度感知デバイス、及び／又は指紋センサなどの１つ以上の入力デバイスに対する入力面を提供することができる。ディスプレイ１９は、ウォッチ１０の筐体内に少なくとも部分的に含めるのに適した任意のサイズとすることができ、ウォッチ１０の実質的にどこにでも配置することができる。ウォッチ本体１２は、ディスプレイ１９を支持する筐体１１を含むことができる。筐体１１は、ウォッチ本体１２の周辺領域を囲むとともに、組み立てられた位置においてウォッチ本体１２の内部構成要素を支持するよう働く。例えば、筐体１１は、様々な内部構成要素（例えば、集積回路チップ、プロセッサ、メモリデバイス及び他の回路を含む）を取り囲んで支持して、ウォッチ本体１２に計算及び機能的動作を提供する。
【００１６】
ウォッチ本体１２はまた、ユーザからの触知入力を受け入れるために他の入力機構を有することができる。例えば、ウォッチ本体１２は、クラウン１００及び／又はボタン４０などの１つ以上の入力構成要素を含むか、又はこれらとインタフェースすることができる。図１は、入力構成要素の２つの特定のタイプを示すが、他の入力構成要素も考えられる。例えば、例示的な入力構成要素は、クラウン、ボタン、ダイヤル、キー、スイッチ、トラックパッド、及び同様のものを含む。クラウン１００などの入力構成要素は、ユーザからの触知入力を検出し、ウォッチ本体１２に機能を実行させることができる。触知入力は、クラウン１００によって検出可能な方法で、クラウン１００を押し下げ、回転させ、移動させ、傾け、屈曲させ、及び／又は変形させることができる。ボタン４２は、触知入力を検出する１つ以上のセンサを含むことができ、又はこれらに接続することができる。センサには、本明細書で更に論じるように、例えば、力センサ、圧力センサ、光センサ、又は近接センサを含むことができる。図１に示すように、ウォッチ本体１２は複数の入力構成要素を含み得るが、任意の数の入力構成要素を提供し得ることが認識されるであろう。複数の入力構成要素が提供される場合、入力構成要素は、同じ又は異なるタイプ（例えば、押し下げ可能及び／又は回転可能）とすることができる。
【００１７】
図２を参照して、ウォッチ本体１２の構成要素としてクラウンを設けて、ユーザからの並進及び／又は回転入力を受け入れることができる。図２に示すように、クラウン１００は筐体１１の表面から突出することができる。図１に更に示すように、クラウン１００は筐体１１の側面上に配置することができる。このような構成により、ディスプレイ１９のユーザの視界及び使用を妨げることなく、ユーザが容易にクラウン１００をアクセス可能となる。記載されたクラウン１００は、以下の説明の目的のために、図２〜１５に関して示され、論じられる一例である。しかしながら、外面形状を含むクラウン１００の一定の特徴は、上述したクラウン１００の態様に関して単純化、又は変更することができる。
【００１８】
クラウン１００は、ユーザからの回転入力を受け入れるために使用でき、これを使用してデバイスの態様を制御することができる。クラウン１００は、ローレット加工又は他の方法でテクスチャ加工して、ユーザの指及び／又は親指によるグリップを改善することができる。
【００１９】
光学式エンコーダを使用して、クラウン１００の回転運動を検出することができる。図２に示すように、光学式エンコーダは、光源８２、フォトダイオードアレイ８０、及び支持構造体５０を含むことができる。支持構造体５０は、シャフト６６及び係合部６８を含むことができる。光学式エンコーダは、支持構造体５０のシャフト６６上に直接配置された符号化パターン（例えば、明暗のマーキング又はストライプ）を利用することができる。光が光源８２から出射され、支持構造体５０からフォトダイオードアレイ８０に反射されると、支持構造体５０の位置、回転、回転方向、及び回転速度を判定することができる。
【００２０】
光学式エンコーダの信号又は出力を使用して、デバイスの他の構成要素又はモジュールの様々な態様を制御することができる。例えば、クラウン１００をユーザが回転させて、ディスプレイをスクロールしたり、値の範囲から選択したりすることができる。クラウン１００は、アイコンを選択するため、又はディスプレイ上に出力される様々なアイコンの間で選択機構を移動させるために、カーソル又は他のタイプの選択機構を第１の表示位置から第２の表示位置に回転移動させることができる。時間管理アプリケーションにおいて、クラウン１００を使用して、デバイスのディスプレイ上に表示されたウォッチの針又はインデックス数の位置を調整することもできる。クラウン１００を使用して、スピーカのボリューム、表示画面の明るさ、又はその他のハードウェア設定を制御することもできる。
【００２１】
クラウン１００はまた、回転入力だけでなく、直線入力を受け入れるように構成することもできる。例えば、クラウン１００は、ユーザによって押し込まれ又は引っ張られると、軸に沿って、かつ筐体１１に対して、並進するように構成することができる。一部の場合では、追加のユーザ入力として直線アクチュエ−ションを用いることができる。一部の例では、クラウンへの直線入力を回転入力と組み合わせて、デバイスの態様を制御することができる。
【００２２】
ウォッチ本体は、クラウン１００を介してユーザからの並進入力を受け入れるための触知スイッチを含むことができる。一部の場合では、スイッチ１４は、アクチュエ−ト時に触知フィードバックを提供するように構成されたメタルドームスイッチを含む。いったん力がダイヤル３０から除去されると、ドームスイッチは元の位置に弾力的に戻り、支持構造体５０に対して付勢力を与えてダイヤル３０をその元の位置に戻す。
【００２３】
クラウン１００は、支持構造体５０に結合したダイヤル３０から形成することができる。クラウン１００のダイヤル３０は、ユーザ入力を受け入れるように構成された外面３２、及びダイヤル３０の内面３４から延在する支持構造体５０を含む。一部の場合では、支持構造体５０とダイヤル３０とを一体として形成することができる。クラウン３０が特定の方向に特定の速さで回転又は移動するのに従い、支持構造体５０もまた、同じ方向に同じ速さで回転又は移動する。
【００２４】
図２にはダイヤル３０及び支持構造体５０が一体として示されているが、本明細書で更に説明するように、クラウン１００は、組み立て工程において一緒に結合される複数の別個の部品を含み得ることを認識されるであろう。
【００２５】
図３を参照して、ダイヤル３０がクラウン１００のキャップ７０から分離している、クラウン１００のアセンブリを示す。キャップ７０は、ダイヤル３０内に少なくとも部分的に配置することができる。クラウン１００は、ダイヤル３０が特定の方向及び特定の速度で回転又は移動すると、支持構造体５０も同じ方向及び同じ速度で回転又は移動するように、ダイヤル３０内に少なくとも部分的に配置され、かつ、ダイヤル３０に結合された支持構造体５０を、更に含むことができる。キャップ７０は、支持構造体５０及び／又はダイヤル３０に固定することができる。例えば、図３に示すように、キャップ７０を支持構造体５０の係合部６８に、接着剤７２を用いて接合することができる。接着剤７２は、支持構造体５０とキャップ７０との対向面を結合するように配置することができる。接着剤７２は、熱活性化フィルム又は熱接合フィルムなどの熱活性化接着剤を含むことができる。このような接着剤７２のフィルムを支持構造体５０とキャップ７０との間に塗布し、続いて接着剤７２を活性化させる加熱工程を施すことができる。キャップ７０と支持構造体５０との結合に関する説明は、キャップ７０及びダイヤル３０、又は支持構造体５０及びダイヤル３０などの任意の２つの部分に適用できることが認識されるであろう。
【００２６】
図３に示すように、接着剤７２は、キャップ７０を支持構造体５０に保持する特徴のみであってもよい。支持構造体５０とキャップ７０とを結合する接着剤７２は、せん断応力、引張応力、及び／又は開裂応力などの応力を受ける可能性がある。更に、接着剤７２は、水泳、入浴、又は発汗などの使用者の活動中に遭遇し得る化学的影響を受ける可能性がある。接着剤７２によって提供される接合を強化するために、高温硬化工程を施すことができる。しかしながら、そのような工程は、クラウン１００の部品上の熱の影響によって制限され得る。例えば、好適な接合を提供する一部の接着剤７２では、クラウン１００の部品に有害であり得る温度を上回る硬化を必要とする。必要な温度には、６０℃、８０℃、１００℃、１２０℃、１４０℃、１６０℃、１８０℃、又は２００℃を上回る温度が含まれ得る。そのような温度は、クラウン１００の１つ以上の部分に有害となる可能性がある。例えば、陽極酸化処理された材料（例えば、アルミニウム）は、一部の接着剤を硬化させるのに必要とされるような高温において割れを起こしやすい可能性がある。したがって、他の（例えば、機械的）保持機構を含むアセンブリを提供することによって、接着剤の熱要件を低減することが望ましい場合がある。
【００２７】
図４を参照して、ダイヤル１３０、キャップ１７０、及び支持構造体１５０が、一緒に組み立てられる別個の部品である、クラウン１００のアセンブリを示す。キャップ１７０及び支持構造体１５０は、それぞれダイヤル１３０内に少なくとも部分的に配置することができる。支持構造体１５０は、シャフト１６６及び係合部１６８を含むことができる。支持構造体１５０の係合部１６８は、半径方向外側に延在する１つ以上の支持歯１５４を含んで、ダイヤル１３０と相互作用することができる。ダイヤル１３０は、支持歯１５４に軸方向に当接して、ダイヤル１３０内の支持構造体１５０の軸方向の移動を制限する、肩部１３４を含むことができる。本明細書で更に説明するように、ダイヤル１３０はまた、支持構造体１５０に回転移動範囲を提供することができる。
【００２８】
キャップ１７０は、支持構造体１５０によって係合することができる。例えば、図４に示すように、キャップ１７０は、半径方向内側に延在して係合溝１７８を画定する、１つ以上の延長部１７４を含むことができる。支持構造体１５０は、半径方向外側に、かつキャップ１７０の係合溝１７８内に延在する、１つ以上の係合歯１５８を含むことができる。係合歯１５８を係合溝１７８内に配置することにより、支持構造体１５０及び／又はダイヤル１３０に対して、キャップ１７０を軸方向に保持することができる。このように、キャップ１７０の外面１７２を、ダイヤル１３０の外面１３２に対して制御可能に配置し、かつ保持することができる。例えば、外面１７２の少なくとも一部は、外面１３２の少なくとも一部と同一平面にすることができる。
【００２９】
図４に更に示すように、ブッシング１９２を支持構造体１５０の内径面に設けて、支持構造体１５０の回転を容易にすることができる。また、ワッシャ１９０を設けて、ダイヤル１３０、支持構造体１５０、及び／又はブッシング１９２のうちの１つ以上と結合することができる。ワッシャ１９０は、ダイヤル１３０、及び／又はキャップ１７０に対向する支持構造体１５０の側面上に設けることができる。
【００３０】
支持歯１５４及び係合歯１５８は半径方向外側に延在して示されているが、ダイヤル１３０及び／又はキャップ１７０の一部にまで半径方向内側に延在する支持構造体１５０の一部など、他の配置が考えられることが理解されよう。
【００３１】
本明細書で論じるように、ダイヤル１３０、支持構造体１５０、及び／又はキャップ１７０は、異なる組成及び／又は異なる特徴を有することができる。例えば、ダイヤル１３０、支持構造体１５０、及び／又はキャップ１７０は、それぞれ他とは異なる材質であってもよい。材料には、アルミニウム、アルマイト、ステンレス鋼、チタン、他の金属、セラミック、プラスチック、及び／又はこれらの組み合わせを含むことができる。ダイヤル１３０、支持構造体１５０、及び／又はキャップ１７０には、他とは異なる色、質感、コーティング、及び／又は表面特徴をそれぞれ設けることができる。
【００３２】
図５を参照して、ダイヤル１３０は、支持構造体１５０及び／又はキャップ１７０との相互作用を容易にする１つ以上の特徴を含むことができる。例えば、肩部１３４は、支持構造体１５０の一部に軸方向に当接して、支持構造体１５０のダイヤル１３０内での軸方向の移動を制限することができる。肩部１３４の一方の側面上において、ダイヤル１３０は、半径方向内側に延在する１つ以上のダイヤル歯１３８を含むことができる。ダイヤル歯１３８は、ダイヤル１３０の内周にわたって分布させることができ、ダイヤル歯１３８の円周方向に隣接する対がダイヤル凹部１４０によって分離されている。任意の数のダイヤル歯１３８及びダイヤル凹部１４０が、ダイヤル１３０によって提供され得ることが認識されるであろう。
【００３３】
支持構造体１５０は、半径方向外側に延在する１つ以上の支持歯１５４を含むことができる。支持歯１５４は、支持構造体１５０の外周にわたって分布させることができ、支持歯１５４の円周方向に隣接する対が支持構造体凹部１５６によって分離されている。任意の数の支持歯１５４及び支持構造体凹部１５６が、支持構造体１５０によって提供され得ることが認識されるであろう。支持歯１５４は、その中へ配置し得るダイヤル凹部１４０よりも実質的に小さくすることができる。同様に、支持構造体凹部１５６は、ダイヤル歯１３８よりも実質的に大きくすることができる。したがって、支持構造体１５０は、ダイヤル１３０内にある間に、回転範囲を許容され得る。例えば、支持構造体１５０は、支持歯１５４とダイヤル歯１３８とが互いに接触するまで、支持歯１５４がダイヤル凹部１４０内を移動し、かつ、ダイヤル歯１３８が支持構造体凹部１５６内を移動するように、ダイヤル１３０内で回転することができる。
【００３４】
図５に更に示すように、支持構造体１５０は、半径方向外側に延在する１つ以上の係合歯１５８を含むことができる。係合歯１５８は、支持構造体１５０の外周にわたって分布させることができ、係合歯１５８の円周方向に隣接する対が係合凹部１６０によって分離されている。係合歯１５８及び係合凹部１６０は、支持歯１５４及び支持構造体凹部１５６から軸方向にオフセットすることができる。本明細書で更に説明するように、係合歯１５８は、キャップ１７０の少なくとも一部と係合するように配置することができる。任意の数の係合歯１５８及び係合凹部１６０が、支持構造体１５０によって提供され得ることが認識されるであろう。
【００３５】
図６を参照して、キャップ１７０は、ダイヤル１３０及び支持構造体１５０の両方と相互作用するように構成することができる。キャップ１７０は、半径方向外側に延在する１つ以上のキャップ歯１８０を含んで、ダイヤル１３０に対してキャップ１７０をロックすることができる。例えば、キャップ歯１８０はダイヤル１３０とかみ合うことができるため、キャップ１７０はダイヤル１３０に対して回転方向を維持できる。キャップ歯１８０は、キャップ１７０の外周にわたって分布させることができ、キャップ歯１８０の円周方向に隣接する対がキャップ凹部１８２によって分離されている。任意の数のキャップ歯１８０及びキャップ凹部１８２が、キャップ１７０によって提供され得ることが認識されるであろう。キャップ歯１８０は、その中へ配置できるダイヤル凹部１４０のサイズ及び形状と実質的に等しいサイズ及び形状を有することができる。同様に、キャップ凹部１８２は、ダイヤル歯１３８のサイズ及び形状と実質的に等しいサイズ及び形状を有することができる。したがって、キャップ１７０及びダイヤル１３０は、ダイヤル１３０が特定の方向に特定の速度で回転又は移動すると、キャップ１７０もまた同じ方向に同じ速度で回転又は移動するように、相補的な形状を備える。
【００３６】
図６に更に示すように、キャップ１７０は、半径方向内側に延在し、かつ、係合溝１７８を画定する１つ以上の延長部１７４を含むことができる。係合溝１７８は、キャップ１７０の内面に沿って円周方向に延在することができる。各係合溝１７８は、対応する延長部１７４の周りに軸方向に延在する間隙１７６に接続することができる。本明細書で更に説明するように、間隙１７６及び係合溝１７８は、支持構造体１５０の対応する係合歯１５８を受け入れるように構成されている。
【００３７】
図７及び８を参照して、多部品クラウン１００の組み立て工程は、ダイヤル内に少なくとも部分的に支持構造体を配置することを含むことができる。支持構造体１５０は、支持歯１５４がダイヤル凹部１４０内に配置され、かつ、ダイヤル歯１３８が支持構造体凹部内に配置されるように、ダイヤル１３０内に配置することができる。前述したように、支持構造体１５０は、ダイヤル１３０内にある間に、回転範囲を提供される。具体的には、支持構造体１５０は、支持歯１５４とダイヤル歯１３８とが互いに接触するまで、支持歯１５４がダイヤル凹部１４０内を移動し、かつ、ダイヤル歯１３８が支持構造体凹部内を移動するように、ダイヤル１３０内で回転することができる。回転範囲は、支持歯１５４及びダイヤル歯１３８のサイズ、形状、及び／又は位置によって決定することができる。
【００３８】
図９及び１０を参照して、多部品クラウン１００の組み立て工程は、接着剤を塗布することを含むことができる。接着剤１９４を、ダイヤル１３０の一部と支持構造体１５０との間に設けることができる。例えば、接着剤１９４を、ダイヤル１３０及び／又は支持構造体１５０の１つ以上の歯の上に設けることができる。接着剤１９４は最初は液体として提供され、組み立ての後段階で硬化させることができる。図９及び１０に示すように、接着剤１９４は、後段階で広がる離散した分布位置に設けることができる。
【００３９】
図１１及び１２を参照して、多部品クラウン１００の組み立て工程は、ダイヤル内に少なくとも部分的にキャップを配置することを含むことができる。キャップ１７０は、キャップ歯１８０がダイヤル凹部１４０内に配置され、かつ、ダイヤル歯１３８がキャップ凹部１８２内に配置されるように、ダイヤル１３０内に配置することができる。ダイヤル１３０が特定の方向に及び特定の速度で回転又は移動すると、キャップ１７０もまた、同じ方向に及び同じ速度で回転又は移動するように、キャップ歯１８０及びダイヤル凹部１４０、並びに／又はダイヤル歯１３８及びキャップ凹部１８２の相補的な形状に基づいて、キャップ１７０を、ダイヤル１３０に対して回転方向にロックすることができる。キャップ１７０はまた、支持構造体１５０の係合歯１５８が、キャップ１７０の係合溝１７８内に配置されるように、ダイヤル１３０内に配置することもできる。係合歯１５８は、キャップ１７０の軸方向の間隙を通じて、係合溝１７８に進入することができる。
【００４０】
図１３及び１４を参照して、多部品クラウン１００の組み立て工程は、支持歯が係合溝内で移動してキャップを軸方向に保持するように、キャップ及びダイヤルに対して支持構造体を回転させることを含むことができる。前述したように、支持構造体１５０は、ダイヤル１３０内にある間に、回転範囲を提供される。支持構造体１５０は、ダイヤル１３０及びキャップ１７０に対して回転し、これらが互いに対して回転方向にロックされる。支持構造体１５０が回転すると、支持構造体１５０の係合歯１５８が、キャップ１７０の係合溝１７８内を移動する。具体的には、係合歯１５８は、係合歯１５８が係合溝１７８に進入して、軸方向の間隙から円周方向に離れるように移動する。回転後、係合歯１５８は、係合溝１７８内に、かつ延長部１７４に軸方向に隣接して、整列させることができるので、係合歯１５８は、係合溝１７８から軸方向に移動することができない。したがって、キャップ１７０は、支持構造体１５０に対して軸方向に保持される。回転中、及び／又は回転後、キャップ１７０の外面１７２の少なくとも一部は、ダイヤル１３０の外面１３２の少なくとも一部と同一平面とすることができる。
【００４１】
図１５を参照して、ブッシング１９２を支持構造体１５０の内径面に設けて、支持構造体１５０の回転を容易にすることができる。ブッシングは、支持構造体１５０に接着及び／又は圧入することができる。また、ワッシャ１９０を設けて、ダイヤル１３０、支持構造体１５０、及び／又はブッシング１９２のうちの１つ以上と結合することができる。ワッシャ１９０は、例えば１箇所以上で溶接（例えば、レーザ溶接）により取り付けることができる。ワッシャ１９０は、結合された部分に軸方向の支持を提供することができる。
【００４２】
図１５に示す配置では、クラウン内の接着剤は、例えば熱工程によって硬化させる。接着剤は、ダイヤル１３０、キャップ１７０、及び支持構造体１５０のうちの少なくとも２つに塗布することができる。接着剤が硬化すると、ダイヤル１３０、キャップ１７０、及び支持構造体１５０は、クラウン１００の部品が一斉に回転及び並進移動するように、互いに対して固定される。このように、ユーザがダイヤル１３０及び／又はキャップ１７０に加えた力は、ウォッチによる検出のために支持構造体１５０に伝達される。
【００４３】
接着剤は、クラウン１００の内部に完全に収容することができる。本明細書で論じる機械的係合に基づくと、接着剤が、キャップ１７０を支持構造体１５０に保持する唯一の特徴ではない。例えば、係合溝１７８内の係合歯１５８は、キャップ１７０を支持構造体１５０に軸方向に保持する。したがって、接着剤は、アセンブリを維持するために、部品の配置（例えば、支持構造体１５０及びキャップ１７０の回転方向）を維持するだけでよい。これにより、接着剤の接合要件が緩和されるため、より厳格ではない硬化工程を必要とする接着剤の使用が可能になる。例えば、硬化温度がより低い接着剤を使用できるので、クラウンの部品が、１つ以上の部品に有害であり得る高温にさらされないようにすることができる。更なる例によれば、許容温度には、６０℃、８０℃、１００℃、１２０℃、１４０℃、１６０℃、１８０℃、又は２００℃を下回る温度が含まれ得る。したがって、クラウンは、部品の完全性を保護し、様々な応力及び環境的影響を通してアセンブリを確実に一緒に保持するように、組み立てることができる。
【００４４】
単数形のエレメントへの言及は、具体的に述べられていない限り、１つ及び唯一のものを意味するものではなく、むしろ１つ以上を意味することを意図している。例えば、「ａ」モジュールは、１つ以上のモジュールを指すことができる。「ａ」、「ａｎ」、「ｔｈｅ」、又は「ｓａｉｄ」によって続けられたエレメントは、更なる制約なしに、追加の同じエレメントの存在を排除しない。
【００４５】
もしあれば、見出し及び小見出しは、便宜上のみに使用され、発明を限定しない。例示的という単語は、例又は例示として働くことを意味するために使用される。含む、有するなどの用語が使用される限りにおいて、そのような用語は、備えるが特許請求の範囲において移行語として使用されるときに解釈されるように、備えるという用語と同様の方法で包括的であることを意図する。第１及び第２などの関係的な用語は、そのようなエンティティ又はアクション間の実際のそのような関係又は順序を必ずしも要求又は示唆することなく、あるエンティティ又はアクションを別のエンティティ又はアクションから区別するために使用され得る。
【００４６】
１つの態様、その態様、別の態様、いくつかの態様、１つ以上の態様、１つの実装形態、その実装形態、別の実装形態、いくつかの実装形態、１つ以上の実装形態、１つの実施態様、その実施態様、別の実施態様、いくつかの実施態様、１つ以上の実施態様、１つの構成、その構成、別の構成、いくつかの構成、１つ以上の構成、主題技術、開示、本開示、それらの他の変形、及び同様のフレーズは、便宜上のものであり、そのようなフレーズ（単数又は複数）に関する開示が主題技術に不可欠であること、又はそのような開示が主題技術のすべての構成に適用されること、の意味を含むものではない。そのようなフレーズ（単数又は複数）に関する開示は、すべての構成、又は１つ以上の構成に適用することができる。そのようなフレーズ（単数又は複数）に関する開示は、１つ以上の例を提供することができる。態様又はいくつかの態様などのフレーズは、１つ以上の態様を指すことができ、その逆も同様であり、これは他の前述のフレーズと同様に適用される。
【００４７】
本明細書で使用する、一連の項目に先行する「少なくとも１つ」というフレーズは、項目のいずれかを分離する「及び」又は「又は」という用語とともに、リストの各要素ではなく、全体としてリストを修飾する。「少なくとも１つ」というフレーズは、各項目の少なくとも１つの選択を必要とはせず、むしろ、そのフレーズは、項目のうちのいずれか１つの少なくとも１つ、及び／又は項目の任意の組み合わせのうちの少なくとも１つ、及び／又は項目のそれぞれのうちの少なくとも１つ、を含む意味を可能にする。例として、「Ａ、Ｂ、及びＣのうちの少なくとも１つ」又は「Ａ、Ｂ、又はＣのうちの少なくとも１つ」というフレーズは、それぞれが、Ａのみ、Ｂのみ、又はＣのみ、Ａ、Ｂ、及びＣの任意の組み合わせ、並びに／又は、Ａ、Ｂ、及びＣのそれぞれのうちの少なくとも１つを指す。
【００４８】
開示されたステップ、操作、又は工程の特定の順序又は階層は、例示的なアプローチの一例であることが理解されよう。特に明記しない限り、ステップ、操作、又は工程の特定の順序又は階層は、異なる順序で実行されてもよいことが理解されよう。一部のステップ、操作、又は工程のいくつかは、同時に実行されてもよい。もしあれば、付随する方法の特許請求の範囲は、サンプル順序での様々なステップ、操作、又は工程のエレメントを提示し、提示された特定の順序又は階層に限定されることを意味しない。これらは、連続的に、直線的に、並行して、又は異なる順序で実行されてもよい。説明された命令、操作、及びシステムは、一般に、単一のソフトウェア／ハードウェア製品に一緒に統合され得るか、又は複数のソフトウェア／ハードウェア製品にパッケージ化され得ることが理解されるべきである。
【００４９】
一つの態様では、結合された、などの用語は、直接的に結合されていることを指すことがある。別の態様では、結合された、などの用語は、間接的に結合されていることを指すことがある。
【００５０】
頂部、底部、前部、後部、側部、水平、垂直などの用語は、通常の重力基準フレームではなく、任意の基準フレームを指す。したがって、このような用語は、重力基準フレームにおいて、上方、下方、斜め、又は水平に延在することができる。
【００５１】
本開示は、当業者が本明細書で説明した様々な態様を実施することを可能にするために提供される。一部の例では、主題技術の概念を不明瞭にすることを避けるために、周知の構造体及び構成要素がブロック図の形式で示されている。本開示は、主題技術の様々な例を提供するものであり、主題技術はこれらの例に限定されない。これらの態様に対する様々な変更は、当業者には容易に明らかであり、本明細書で説明される原理は、他の態様にも適用することができる。
【００５２】
当業者に知られているか又は後に知られるようになる、本開示を通じて説明される様々な態様のエレメントに対するすべての構造的及び機能的な均等物は、参照により明示的に本明細書に組み込まれ、かつ、特許請求の範囲に包含されるものと意図する。更に、本明細書で開示されたいかなるものも、そのような開示が特許請求の範囲に明白に列挙されているかどうかにかかわらず、公共に捧げられることを意図しない。いかなる特許請求の範囲のエレメントも、エレメントがフレーズ「手段（means for）」を使用して明示的に列挙するか、又は方法の請求項の場合には、エレメントがフレーズ「ステップ（step for）」を使用して列挙しない限り、米国特許法第３５条１１２項第６パラグラフの規定に基づいて解釈されるべきではない。
【００５３】
発明の名称、背景、図面の簡単な説明、要約、及び図面は、これによって本開示に組み込まれ、限定的な説明ではなく、本開示の用例として提供される。それらは、請求項の範囲又は意味を制限するために使用されないことを理解して提出されている。加えて、詳細な説明では、説明が用例を提供し、様々な特徴が開示を合理化する目的で様々な実装形態において一緒にグループ化されていることが分かり得るであろう。開示された方法は、特許請求された主題が、それぞれの請求項において明示的に列挙されているよりも多くの特長を必要とするという意図を表すものと、解釈してはならない。むしろ、特許請求の範囲が表すように、本発明の主題は、単一の開示された構成又は動作のすべての特徴よりも少ない。特許請求の範囲は、これによって詳細な説明に組み込まれ、各請求項は、別々に請求される主題として独立して存在している。
【００５４】
特許請求の範囲は、本明細書に記載される態様に限定されることを意図するものではなく、特許請求の範囲の文言と一致するすべての範囲が与えられ、すべての法的等価物を包含するものとする。それにもかかわらず、請求項のいずれも、適用され得る特許法の要件を満たし損なう主題を包含することを意図するものではなく、そのように解釈されるべきでもない。
【図１】
2019049536.tif 000003
【図２】
2019049536.tif 000004
【図３】
2019049536.tif 000005
【図４】
2019049536.tif 000006
【図５】
2019049536.tif 000007
【図６】
2019049536.tif 000008
【図７】
2019049536.tif 000009
【図８】
2019049536.tif 000010
【図９】
2019049536.tif 000011
【図１０】
2019049536.tif 000012
【図１１】
2019049536.tif 000013
【図１２】
2019049536.tif 000014
【図１３】
2019049536.tif 000015
【図１４】
2019049536.tif 000016
【図１５】
2019049536.tif 000017
【外国語明細書】
2019049536000001.pdf